(57)【特許請求の範囲】
【請求項１】
目安車と該目安車と同軸に支持された時針車にそれぞれ取り付けられた第１接点板と第２接点板からなり、前記時針車の回転により前記第１接点板と前記第２接点板が接触又は離隔してオン又はオフ状態になる摺動接点機構と、
前記目安車とは別軸に支持され、前記時針車より速い速度で回転する目安セット車と、
該目安セット車によりその軸方向に摺動自在に支持され、前記目安セット車と共に回転する目安カムと、
前記目安車に連動し且つ前記目安カムに係合して前記目安カムを軸方向に摺動させるカム溝を有する目安伝え車と、
前記目安カムに係合する可動接点板と固定された固定接点板とからなり、前記目安カムの軸方向への摺動により前記可動接点板と前記固定接点板が接触又は離隔してオン又はオフ状態になる可動接点機構と、
からなることを特徴とする時計の目安機構。
【請求項２】
前記摺動接点機構と前記可動接点機構は直列に接続され、前記摺動接点機構と前記可動接点機構が共にオン状態になると、目安設定時刻に報知を行う報知回路が報知することを特徴とする請求項１記載の時計の目安機構。
【発明の詳細な説明】
【０００１】
【発明の属する技術分野】
本発明は、小型の時計における目安機構に関するものであり、特に、小型で、高精度な目安機構に関する。
【０００２】
【従来の技術】
従来の小型の時計の目安機構は、通常、１２時間で１回転する歯車の回転により駆動されるカム機構を有し、目安設定時刻になるとカム機構の動作で接点機構をオン状態にして報知するものであった。
【０００３】
【発明が解決しようとする課題】
一般に、小型の時計に適合するムーブメントを小型化するには、上記従来の技術における目安機構の歯車やカム等の部品を小型化することが必要である。このような小型化のために歯車やカム等の部品の径を小さくすると、加工精度が以前のものと同一であっても、動作精度は低下してしまう。このため、目安精度が悪化し、目安設定時刻に報知が行われなくなることがあった。このような目安精度の悪化を防ぐため、部品の加工精度を高めることが必要であったが、量産を考慮した現状の部品加工精度及びコストでは、どうしても目安精度の悪化を防ぐことはできなかった。
【０００４】
一方、目安精度は、特開昭５２−７６０６０号公報に示されているような２段目安機構を採用することにより向上させることも可能である。即ち、この２段目安機構は、目安機構内に２つのカム機構を設け、その一方のカム機構を１２時間で１回転する低速の歯車で駆動し、他方のカム機構をそれより速い速度で回転する歯車で駆動して、両方のカム機構がそれぞれ設けた接点を共にオン状態にしたときに報知するように構成したものであった。しかしながら、ムーブメント内にカム機構を２つ設けることは、ムーブメントの小型化を妨げることになり、小型時計には採用することができなかった。
【０００５】
本発明は、上記従来技術の課題に鑑みなされたもので、ムーブメントの小型化を妨げることなく、目安精度を高めることができる時計の目安機構を提供するものである。
【０００６】
【課題を解決するための手段】
本発明の時計の目安機構は、目安車と該目安車と同軸に支持された時針車にそれぞれ取り付けられた第１接点板と第２接点板からなり、前記時針車の回転により前記第１接点板と前記第２接点板が接触又は離隔してオン又はオフ状態になる摺動接点機構と、前記目安車とは別軸に支持され、前記時針車より速い速度で回転する目安セット車と、該目安セット車によりその軸方向に摺動自在に支持され、前記目安セット車と共に回転する目安カムと、前記目安車に連動し且つ前記目安カムに係合して前記目安カムを軸方向に摺動させるカム溝を有する目安伝え車と、前記目安カムに係合する可動接点板と固定された固定接点板とからなり、前記目安カムの軸方向への摺動により前記可動接点板と前記固定接点板が接触又は離隔してオン又はオフ状態になる可動接点機構と、からなるものである。
【０００７】
また、この時計の目安機構における前記摺動接点機構と前記可動接点機構は直列に接続され、前記摺動接点機構と前記可動接点機構が共にオン状態になると、目安設定時刻に報知を行う報知回路が報知するように構成されている。
【０００８】
【発明の実施の形態】
本発明の時計の目安機構は、摺動接点機構と可動接点機構を有し、その摺動接点機構を目安車と時針車で駆動し、可動接点機構をカム機構で駆動している。即ち、摺動接点機構は、目安車と時針車にそれぞれ取り付けられた第１接点板と第２接点板とからなり、時針車の回転により第２接点板が第１接点板に接触するとオン状態になるものである。また、カム機構は、時針車より速く回転する目安セット車と、この目安セット車に軸方向に摺動自在に支持され且つ回転する目安カムと、目安車に連動すると共に目安カムに係合して目安カムを軸方向に摺動させる目安伝え車と、から構成されている。更に、可動接点機構は、目安カムに係合する可動接点板と、固定された固定接点板と、からなり、目安カムの摺動で可動接点板が可動して固定接点板に接触するとオン状態になるものである。
【０００９】
この目安機構においては、時針車の回転でオン・オフ制御される摺動接点機構と、時針車より速く回転する目安セット車の回転でオン・オフ制御される可動接点機構を設けており、更にそれらが報知回路に直列に接続されているので、その両接点機構がオン状態になると報知する。このため、本発明においては、目安精度を高めることができる。しかも、摺動接点機構は、その第１及び第２接点板がそれぞれ目安車と時針車に取り付けられているため、カム機構のような広いスペースを必要とせず、ムーブメントの小型化を妨げることもないものとなっている。
【００１０】
【実施例】
図１は本発明の一実施例に係る時計の目安機構を示す要部断面図である。図１において、分針、時針、目安針（図示せず）をそれぞれ駆動する分針車２、時針車４、目安車６は、分針車２に時針車４が外嵌され、時針車４に目安車６が外嵌されて、それぞれが回転可能に支持されている。
【００１１】
８は目安車６に取り付けられた第１接点板１０と時針車４に取り付けられた第２接点板１２とからなる摺動接点機構である。この第１接点板１０は、目安車６の内周面上の目安針が示す目安設定時刻に対応する位置に配置された内部接触部１０ａを有し、また目安車６の歯車部６ｃの図中下側へ突出する外部接触部１０ｂを有している。この第１接点板１０の外部接触部１０ｂは、目安車６の歯車部６ｃに面する下板１８の表面上に設けられた第１外部接点板１４に、常時接触している。尚、本実施例においては、目安車６にその内周面に形成した溝部６ａと歯車部６ｃを貫通する孔６ｂを設け、この溝部６ａと孔６ｂに断面形状が略コの字形をなす第１接点板１０を架け渡すように嵌め込むことにより、目安車６に第１接点板１０を取り付けている。
【００１２】
また、第２接点板１２は、時針車４の外周面上の時針が示す現在時刻に対応する位置に配置された内部接触部１２ａを有し、また時針車４の歯車部４ｃの上面上にリング状の外部接触部１２ｂを有している。この第２接点板１２の内部接触部１２ａは、径方向にバネ性を有するように山形状をなす部分があり、時針車４が１回転する間に１回だけ第１接点板１０の内部接触部１０ａに接触する。また、この第２接点板１２の外部接触部１２ｂには、時針車４の歯車部４ｃの上方に位置する第２外部接点板１６が常時接触している。尚、本実施例においては、時針車４の歯車部４ｃに軸方向の孔４ａを設けると共にこれに通じる溝部４ｅを軸部４ｄの外周面に形成し、更に時針車４の上面にリング状の凹部４ｂを設け、この凹部４ｂと孔４ａ及び溝部４ｅにそれぞれ外部接触部１２ｂと内部接触部１２ａを嵌め込むことにより、時針車４に第２接点板１２を取り付けている。
【００１３】
一方、２０は可動接点板２２と固定接点板２４とからなる可動接点機構である。本実施例における可動接点板２２は、固定接点板２４に接触する方向へバネ性を有するもので、カム機構２６により図中上下に可動される。
【００１４】
このカム機構２６は、以下に示す各部で構成されている。目安セット車３０は、日ノ裏車２８により駆動されて時針車４よりも速い速度、例えば３時間で１回転するように設定されている。この目安セット車３０の歯車部３０ｃには、時針が示す現在時刻に対応する位置に配置された軸方向の貫通孔３０ａ、３０ｂが設けられている。また、目安カム３２は、目安セット車３０の貫通孔３０ａ、３０ｂに係合端３２ａ、３２ｂが挿入されて軸方向に摺動自在に支持されており、更に目安セット車３０と共に回転するように構成されている。尚、この目安カム３２は、可動接点板２２に係合し、この可動接点板２２により、後述する目安伝え車の上端面に係合端３２ａ、３２ｂを押し付けるように付勢されている。また、目安伝え車３４は、中間歯車３６を介して目安車６に噛合し、目安車６に連動して回転するものであり、その歯車部３４ｃには、軸方向の貫通孔と斜面とが組み合わされたカム溝３４ａ、３４ｂが目安カム３２の係合端３２ａ、３２ｂに対向して設けられている。また、このカム溝３４ａ、３４ｂは、目安針が示す目安設定時刻に対応する位置に配置されている。
【００１５】
また、上記目安機構における摺動接点機構８と可動接点機構２０は直列に接続されており、更にこれらは報知回路３８にも直列に接続されている。即ち、目安設定時刻に報知を行う報知回路３８には、第１外部接点板１４を介して第１接点板１０が接続されると共に、固定接点板２４が接続されている。また、第２外部接点板１６を介して第２接点板１２が可動接点板２２に接続されている。従って、摺動接点機構８と可動接点機構２０が共にオン状態になると、報知回路３８にオン信号が供給されて報知を開始するように構成されている。
【００１６】
上記構成からなる目安機構は次のように動作する。はじめに、目安セットつまみ（図示せず）を外部操作することにより、目安車６を回転させ、目安設定時刻をセットする。このときに目安伝え車３４も目安車６の回転に伴って回転する。このように目安車６と目安伝え車３４が回転されて目安設定時刻がセットされると、セットされた目安設定時刻に対応する位置に第１接点板１０の内部接触部１０ａとカム溝３４ａ、３４ｂは移動することになる。この状態において、目安設定時刻に対応する位置にある第１接点板１０の内部接触部１０ａと現在時刻に対応する位置にある第２接点板１２の内部接触部１２ａとは離隔しており、摺動接点機構８はオフ状態になっている。また、カム溝３４ａ、３４ｂが移動することにより、目安カム３２はその係合端３２ａ、３２ｂがカム溝３４ａ、３４ｂの斜面で押し上げられて目安伝え車３４の歯車部３４ｃの上端面上に載ることにより、可動接点板２２を押し上げ、固定接点板２４から引き離しているため、可動接点機構２０もオフ状態になっている。
【００１７】
その後、セットした目安設定時刻になると、時針車４と共に回転する第２接点板１２の内部接触部１２ａが第１接点板１０の内部接触部１０ａの位置に達してこれに接触する。これにより、第１及び第２接点板１０、１２を介して第１及び第２外部接点板１４、１６が導通し、摺動接点機構８はオン状態になる。このときに、目安セット車３０の回転により目安カム３２の係合端３２ａ、３２ｂが目安伝え車３４のカム溝３４ａ、３４ｂに落ち込むと、可動接点板２２が固定接点板２４に接触して可動接点機構２０はオン状態になる。このように、第１及び第２接点板１０、１２が接触すると共に可動接点板２２と固定接点板２４が接触すると、報知回路３８にオン信号が供給されて、報知が行われる。
【００１８】
上記動作において、目安セット車３０が３時間で１回転するように設定されていると、この目安セット車３０は、時針車４の４倍の速さで回転していることになる。このように、より速く回転する目安セット車３０で目安カム３２を回転させることにより、目安設定時刻到来時に、瞬時に目安カム３２をカム溝３４ａ、３４ｂに落とし込むことができ、可動接点板２２の切換動作を早めて動作を安定させ、精度を高めることが可能となる。従って、切り換え時に動作が不安定になり易い摺動接点機構８にて大まかに目安設定時刻を検出してオン信号を出力し、切換動作が安定している可動接点機構２０にて目安設定時刻到来のタイミングを検出してオン信号を出力するように構成することにより、正確に報知を行うことができる。
【００１９】
【発明の効果】
本発明によれば、摺動接点機構を時針車及び目安車に組み込むと共に、カム機構で動作する可動接点機構を設けることにより、小さなスペースで２段目安機構を採用することができ、ムーブメントの小型化を妨げることなく目安精度を高めることができる。
【００２０】
また、摺動接点機構は、時針車等の径方向にバネ性を有し、径方向に圧力を加えるものであるため、分針車、時針車、目安車等の径方向のガタをなくし、指針のブレを防止することができる。
【図面の簡単な説明】
【図１】本発明の一実施例に係る時計の目安機構を示す要部断面図である。
【符号の説明】
２              分針車
４              時針車
６              目安車
８              摺動接点機構
１０            第１接点板
１０ａ          内部接触部
１０ｂ          外部接触部
１２            第２接点板
１２ａ          内部接触部
１２ｂ          外部接触部
１４            第１外部接点板
１６            第２外部接点板
２０            可動接点機構
２２            可動接点板
２４            固定接点板
２６            カム機構
３０            目安セット車
３０ａ、３０ｂ  貫通孔
３２            目安カム
３２ａ、３２ｂ  係合端
３４            目安伝え車
３４ａ、３４ｂ  カム溝
【図１】
0003590520.tif 000002